(57)【特許請求の範囲】
【請求項１】
所定温度に加熱された湯を出湯する給湯器本体と、該給湯器本体を遠隔制御するための複数のリモコンとを備えた給湯器において、
前記給湯器本体は、該給湯器本体から出湯される湯の流量が所定流量に達する毎に計数信号を発生させる計数信号発生手段と、
前記計数信号を前記各リモコンに送信する送信手段とを備え、
前記各リモコンは、前記送信手段から送信される前記計数信号を受信する受信手段と、
該受信手段により受信された前記計数信号の回数を積算する積算手段と、
各リモコン毎に異なる設定湯量が任意に設定可能な設定値入力手段と、
前記積算手段により積算された前記計数信号の回数の積算値が前記設定湯量に達した時にその旨を報知する報知手段とをそれぞれ備えていることを特徴とする給湯器。
【請求項２】
前記計数信号発生手段は、複数の異なる計数信号を周期的に発生させるものであり、
前記積算手段は、前記受信手段により受信された前記計数信号の周期が前記計数信号発生手段により発生させた前記計数信号の周期と異なる場合に、受信された前記計数信号の回数の積算値を補正するものであることを特徴とする請求項１に記載の給湯器。
【発明の詳細な説明】
【０００１】
【発明の属する技術分野】
本発明は、給湯器に関し、さらに詳しくは、給湯器本体から供給される湯の総量が予め設定された湯量に達した時にその旨を使用者に報知する湯量報知機能を備えた給湯器に関するものである。
【０００２】
【従来の技術】
給湯器には、マイクロコンピュータが搭載されたバーナコントローラを給湯器本体に組み込み、バーナコントローラにより給湯器本体を制御すると共に、複数のリモコンを用いてバーナコントローラを遠隔制御し、これによって多種多様の機能を実行させるようにしたものが知られている。
【０００３】
このような給湯器に備えられる機能の一つに、給湯器本体から出湯される湯の総量（以下、これを「供給湯量」という。）を計測し、供給湯量が予め設定された湯量（以下、これを「設定湯量」という。）に達した時に、その旨を使用者に報知する湯量報知機能、いわゆる「お知らせ機能」がある。
【０００４】
従来、この種の湯量報知機能は、供給湯量の計測、供給湯量が設定湯量に達したか否かの判断、リモコンへの報知信号の送信等、すべての処理をバーナコントローラで行い、リモコンでは、報知信号に基づいて警告音、音声等の報知手段により使用者に報知することのみを行うのが一般的である。
【０００５】
【発明が解決しようとする課題】
ところで、複数のリモコンを備えた給湯器においては、各リモコン毎に異なる設定湯量を設定し、供給湯量が増加するに伴い、異なるリモコンから段階的に報知することできれば、供給湯量を常時監視する必要がなくなり、使用者にとって極めて便利である。
【０００６】
例えば、風呂及び台所に、それぞれ、風呂リモコン及び台所リモコンが設置された給湯器を用いて浴槽に湯を入れる場合において、風呂リモコンの設定湯量を例えば１８０リットルとし、台所リモコンの設定湯量を例えば１５０リットルにそれぞれ設定することができれば、使用者は、台所リモコンの報知によって、まず浴槽への供給湯量が１５０リットルに達したことを知ることができる。また、この後に続く風呂リモコンの報知によって供給湯量が１８０リットルに達したことを容易に知ることができる。
【０００７】
しかしながら、従来の給湯器は、湯量報知のためのすべての信号処理を、給湯器本体に組み込まれたバーナコントローラで処理する方法が用いられていたために、複数のリモコン毎に異なる設定湯量を設定するのが難しく、湯量報知のための制御プログラムが複雑になるという問題があった。
【０００８】
本発明が解決しようとする課題は、複数のリモコン及び湯量報知機能を備えた給湯器において、各リモコン毎に異なる設定湯量を設定し、供給湯量が増加するに伴い、異なるリモコンから段階的に報知することができ、しかも、この機能を簡単な制御プログラムを用いて確実に実行することが可能な給湯器を提供することにある。
【０００９】
【課題を解決するための手段】
上記課題を解決するために本発明に係る給湯器は、所定温度に加熱された湯を出湯する給湯器本体と、該給湯器本体を遠隔制御するための複数のリモコンとを備えた給湯器において、前記給湯器本体は、該給湯器本体から出湯される湯の流量が所定流量に達する毎に計数信号を発生させる計数信号発生手段と、前記計数信号を前記各リモコンに送信する送信手段とを備え、前記各リモコンは、前記送信手段から送信される前記計数信号を受信する受信手段と、該受信手段により受信された前記計数信号の回数を積算する積算手段と、各リモコン毎に異なる設定湯量が任意に設定可能な設定値入力手段と、前記積算手段により積算された前記計数信号の回数の積算値が前記設定湯量に達した時にその旨を報知する報知手段とをそれぞれ備えていることを要旨とするものである。
【００１０】
この場合、前記計数信号発生手段は、複数の異なる計数信号を周期的に発生させるものであり、前記積算手段は、前記受信手段により受信された前記計数信号の周期が、前記計数信号発生手段により発生させた前記計数信号の周期と異なる場合に、受信された前記計数信号の回数の積算値を補正するものであることが望ましい。
【００１１】
上記構成を有する本発明に係る給湯器によれば、給湯器本体では、給湯器本体から供給される湯の流量が所定流量に達する毎に計数信号を発生させる処理と、計数信号を各リモコンに送信する処理のみが行われ、計数信号の積算及び報知は、計数信号を受信した各リモコン毎に独立に行われる。そのため、各リモコン毎に異なる設定湯量を設定し、供給湯量に応じて異なるリモコンから段階的に報知させる機能を簡単な制御プログラムにより実行させることができる。
【００１２】
また、複数の異なる計数信号を周期的に発生させた場合には、送信された計数信号の周期と受信された計数信号の周期を対比することにより、前回の計数信号の送受信に失敗したか否かを容易に知ることができる。そのため、次の計数信号を受信した時に、計数信号の回数の積算値を容易に修正することができ、供給湯量の報知を確実に行うことができる。
【００１３】
【発明の実施の形態】
以下、本発明の好適な一実施の形態について図面を参照しながら詳細に説明する。図３に、本発明の第１の実施の形態に係る給湯器の概略構成図を示す。図３において、給湯器１は、給湯器本体１０と、複数のリモコン４０ａ、４０ｂ…を備えている。
【００１４】
給湯器本体１０は、周知のように、給水管１２から供給される水を熱交換器１４で加熱し、所定温度に達した湯を、出湯管１８から出湯させるようになっている。給水管１２には、熱交換器１４への水の供給量を計測するための流量カウンタ２０が設けられている。
【００１５】
また、出湯管１８には、図示はしないが、複数の水栓が取り付けられ、各水栓から、所定温度の湯が供給されるようになっている。なお、各水栓は、一般に、風呂、台所、シャワー室、洗面所等、複数の場所に設置される。
【００１６】
熱交換器１４の下方には、熱交換器１４を加熱するためのガスバーナ２２が設けられている。また、ガスバーナ２２には、ガスを供給するためのガス管２４が接続されている。ガス管２４には、さらに、元電磁弁２６、ガス比例弁２８及びメイン電磁弁３０が設けられ、これらの弁によって、ガスバーナ２２へのガスの供給及び停止並びにガス供給量の制御を行うようになっている。
【００１７】
さらに、給湯器本体１０には、給湯器本体１０を制御するためのバーナコントローラ３２が設けられている。バーナコントローラ３２は、公知のＣＰＵ、ＲＯＭ、ＲＡＭ等により構成され、そのＲＯＭには、給湯器本体１２に備えられる流量カウンタ２０、その他の各種のセンサ（図示せず）及び各リモコン４０ａ、４０ｂ…から発せられる制御信号に基づき、元電磁弁２６及びメイン電磁弁３０の開閉、ガス比例弁２８の開度の制御、ガスバーナ２２に所定量の空気を供給するための送風ファン（図示せず）の回転数の制御等を行うための種々のプログラム類が格納されているものである。
【００１８】
また、本実施の形態の場合、バーナコントローラ３２には、上述した構成に加え、さらに、給湯器本体１２から出湯される湯の流量が所定流量に達する毎に計数信号を発生させる計数信号発生手段、及び発生させた計数信号を各リモコン４０ａ、４０ｂ…に送信する送信手段が備えられている。
【００１９】
なお、計数信号発生手段としては、種々の方法があり、特に限定されるものではないが、本実施の形態の場合、流量カウンタ２０により給水管１２を流れる水の流量を計測し、水の流量が１リットルに達する毎に一定のパルス信号（計数信号）を発生させるようになっている。
【００２０】
リモコン４０ａ、４０ｂ…は、バーナコントローラ３２を遠隔制御するためのものであり、風呂、台所、シャワー室、洗面所等、水栓が設けられた場所にそれぞれ設置されるものである。なお、図３においては、２個のリモコン４０ａ及び４０ｂが記載されているが、これは単なる例示である。
【００２１】
各リモコン４０ａ、４０ｂ…には、それぞれ、電源スイッチ、設定温度入力装置等（いずれも図示せず）、及びこれらを制御するためのＣＰＵ、ＲＯＭ、ＲＡＭ等が設けられ、バーナコントローラ３２との間の信号の送受信、各種の信号処理等を行うようになっている。
【００２２】
また、本実施の形態の場合、各リモコン４０ａ、４０ｂ…は、さらに、バーナコントローラ３２から送信される計数信号を受信する受信手段、受信手段により受信された計数信号の回数を積算する積算手段、積算手段により積算された計数信号の回数の積算値が設定値に達した時にその旨を報知する報知手段、並びに、報知のための設定値を入力する設定値入力装置（図示せず）、及び湯量供給機能を起動させるための「お知らせ機能スタートスイッチ（図示せず）」が設けられている。
【００２３】
なお、送信手段及び受信手段については、バーナコントローラ３２と各リモコン４０ａ、４０ｂ…との間で計数信号の送受信を確実に行うことができるものである限り、有線方式及び無線方式のいずれであっても良い。また、報知手段は、警告音、音声、警告ランプの点滅等、使用者に注意を促すことができるものであればよく、特に限定されるものではない。
【００２４】
次に、本実施の形態に係る給湯器の制御方法について説明する。図１（ａ）及び図１（ｂ）に、それぞれ、バーナコントローラ３２及び各リモコン４０ａ、４０ｂ…の制御フローチャートの一例を示す。
【００２５】
まず、使用者がいずれかの水栓（例えば、浴槽に湯を入れるための水栓）を開くと、給湯器本体１０から所定温度の湯が供給される。この時、バーナコントローラ３２においては、図１（ａ）に示すステップ１（以下、これを「Ｓ１」と表記する。）において、流量のカウント値のリセットが行われる。次いで、Ｓ２において、流量カウンタ２０による流量の計測を開始する。
【００２６】
次に、Ｓ３において、流量が１リットルに達したか否かが判断される。流量が１リットルに達していない場合（Ｓ３：ＮＯ）にはＳ２に戻り、流量が１リットルに達するまで、Ｓ２〜Ｓ３の各ステップが繰り返される。一方、流量が１リットルに達した場合（Ｓ３：ＹＥＳ）にはＳ４に進み、流量カウントデータ（すなわち、計数信号）を各リモコン４０ａ、４０ｂ…に送信する。
【００２７】
流量カウントデータが各リモコン４０ａ、４０ｂ…に送信された後は、Ｓ１に戻る。そして、バーナコントローラ３２側では、上述したＳ１〜Ｓ４の各ステップ、すなわち流量カウントデータの発生及び流量カウントデータの送信のみが繰り返される。
【００２８】
これに対し、各リモコン４０ａ、４０ｂ…側では、まず、水栓をあける前に、図１（ｂ）に示すＳ１１において、給湯器本体１０から供給させる設定湯量（設定値）Ｑｓを、設定値入力装置を用いて、各リモコン４０ａ、４０ｂ…毎に入力する。
【００２９】
なお、入力する設定湯量Ｑｓは、すべてのリモコン４０ａ、４０ｂ…について同一としても良く、あるいは、各リモコン４０ａ、４０ｂ…毎に異なる値を入力してもよい。要は、供給湯量の監視が容易になるように、使用者が任意に設定湯量Ｑｓを定めればよい。また、設定湯量Ｑｓの具体的数値についても、浴槽の大きさ、各リモコン４０ａ、４０ｂ…の設置場所等を考慮して、使用者が任意に設定すればよい。
【００３０】
設定湯量Ｑｓの設定を行った後、次に、Ｓ１２において、各リモコン４０ａ、４０ｂ…の「お知らせ機能スタートスイッチ」を押す。スイッチが押されると、各リモコン４０ａ、４０ｂ…の湯量報知機能が起動し、Ｓ１３において、まず、流量カウントデータのカウント値（以下、これを「積算値」という。）Ｑｃのリセットが行われる。
【００３１】
次に、Ｓ１４において、バーナコントローラ３２から流量カウントデータが受信されたか否かが判断される。流量カウントデータが受信されていない場合（Ｓ１４：ＮＯ）には、流量カウントデータを受信するまで待機する。一方、流量カウントデータが受信された場合（Ｓ１４：ＹＥＳ）には、Ｓ１５に進み、積算値Ｑｃに「１」を加算する。
【００３２】
次に、Ｓ１６において、積算値Ｑｃが設定湯量Ｑｓ以上か否かが判断される。積算値Ｑｃが設定湯量Ｑｓ以上でない場合（Ｓ１６：ＮＯ）には、供給湯量が設定湯量Ｑｓに達していないことを示しているので、その場合には、Ｓ１４に戻り、積算値Ｑｃが設定湯量Ｑｓ以上となるまで、上述したＳ１４〜Ｓ１６までの各ステップが繰り返される。
【００３３】
これに対し、積算値Ｑｃが設定湯量Ｑｓ以上になった場合（Ｓ１６：ＹＥＳ）には、Ｓ１７に進み、報知手段により使用者にその旨が報知される。なお、報知は、積算値Ｑｃが設定湯量Ｑｓ以上になったリモコンのみから行われるので、各リモコン４０ａ、４０ｂ…毎に異なる設定湯量Ｑｓが入力されている場合には、供給湯量の増加に伴い、各リモコン４０ａ、４０ｂ…から段階的に報知が行われることになる。
【００３４】
例えば、風呂リモコンの設定湯量Ｑｓとして１８０リットルを入力し、台所リモコンの設定湯量Ｑｓとして１５０リットルを入力している場合において、浴槽への給湯と同時に湯量報知機能をスタートさせた時には、まず、供給湯量が１５０リットルに達したところで台所リモコンが報知するので、使用者は、供給湯量が設定湯量に近づいたことを容易に知ることができる。また、所定時間が経過したところで風呂リモコンが報知するので、使用者は、供給湯量が設定湯量に達したことを容易に知ることができる。従って、使用者は、浴槽の湯量を常時監視しなくても、浴槽から湯が溢れる前に浴槽への給湯を停止させることができる。
【００３５】
以上のように本実施の形態に係る給湯器によれば、給湯器本体では、供給される湯の流量が１リットルに達する毎に計数信号を発生させる処理と、発生させた計数信号を各リモコンに送信する処理のみが行われ、計数信号の積算及び報知は、計数信号を受信した各リモコン毎に独立に行われるので、各リモコン毎に異なる設定湯量を設定する機能、及び供給湯量に応じて異なるリモコンから段階的に報知させる機能を簡単な制御プログラムにより実行させることができる。
【００３６】
また、本発明によれば、例えば、１階と２階の双方に浴槽がある場合に、各風呂リモコン毎に、各々適切な設定値を入力することもできる。そのため、どちらの浴槽に湯を入れるかによって、その都度、設定値（設定湯量Ｑｓ）を入力し直す必要がなく、単に「お知らせ機能スタートスイッチ」を押すだけで湯量報知機能を使用することができ、使い勝手も良い。
【００３７】
次に、本発明の第２の実施の形態に係る給湯器について説明する。本実施の形態に係る給湯器は、計数信号発生手段として、複数の異なる計数信号を周期的に発生させる手段が用いられている点、及び積算手段として、受信手段により受信された計数信号の周期が、計数信号発生手段により発生させた計数信号の周期と異なる場合に、前記計数信号の回数の積算値を補正するようになっている点が、第１の実施の形態に係る給湯器とは異なっている。
【００３８】
本実施の形態の場合、具体的には、計数信号として、「１」、「２」、「３」及び「４」の４種類の信号が用いられ、供給される湯量が１リットルに達する毎に、「１→２→３→４→１→２…」のように、周期的に計数信号を発生させるようになっている。また、計数信号の積算は、前回受信した計数信号と今回受信した計数信号とを対比し、計数信号の送受信に脱落がないと判断された場合には、積算値に１を加算し、脱落があると判断された場合には、脱落があった送受信の回数をさらに積算値に加えるようになっている。
【００３９】
なお、本実施の形態に係る給湯器のその他の構成は、上述した第１の実施の形態に係る給湯器と同様であるので説明を省略する。
【００４０】
次に、本実施の形態に係る給湯器の制御方法について説明する。図２に、制御フローチャートの一例を示す。本実施の形態に係る各リモコン４０ａ、４０ｂ…側の制御フローチャートは、図１（ｂ）に示す制御フローチャートのＳ１５を、図２に示すＳ２１〜Ｓ２５に置き換えたものに相当する。また、バーナコントローラ３２側の制御フローチャートは、図１（ａ）に示すものと同一であるので、図示を省略する。
【００４１】
まず、第１の実施の形態と同様に、給湯器１のいずれかの水栓を開くと、流量カウンタ２０が流量のカウントを開始し、流量が１リットルに達する毎に、流量カウントデータが各リモコン４０ａ、４０ｂ…に送信される（図１（ａ）のＳ１〜Ｓ４）。また、これと同時に、各リモコン４０ａ、４０ｂ…において設定湯量Ｑｓを入力し、お知らせ機能スタートスイッチを押すと、積算値Ｑｃのリセットが行われる（図１（ｂ）のＳ１１〜Ｓ１３）
【００４２】
次に、図２に示すＳ１４において、流量カウントデータ（計数信号）が受信されたか否かが判断される。流量カウントデータが受信されていないと判断された場合（Ｓ１４：ＮＯ）は、流量カウントデータが受信されるまで待機する。
【００４３】
一方、流量カウントデータが受信されたと判断された場合（Ｓ１４：ＹＥＳ）には、Ｓ２１に進む。Ｓ２１では、前回の流量カウントデータと今回の流量カウントデータの対比が行われ、前回の流量カウントデータが一つ前のデータであったか否かが判断される。
【００４４】
例えば、前回受信された流量カウントデータが「１」であり、今回受信された流量カウントデータが「２」である場合には、その間のデータの送受信に脱落はなく、前回の流量カウントデータが１つ前のデータであると判断される（Ｓ２１：ＹＥＳ）ので、その場合には、Ｓ２３に進み、積算値Ｑｃに１を加算する。
【００４５】
これに対し、前回の流量カウントデータが１つ前のデータでない場合（Ｓ２１：ＮＯ）には、Ｓ２２に進む。Ｓ２２では、前回の流量カウントデータが２つ前のデータであったか否かが判断される。
【００４６】
例えば、前回受信された流量カウントデータが「１」であり、今回受信された流量カウントデータが「３」である場合には、「２」に相当する流量カウントデータが脱落していることを示しているので、その場合には、Ｓ２４に進み、積算値Ｑｃに２が加算される。
【００４７】
一方、前回の流量カウントデータが２つ前のデータでない場合（Ｓ２２：ＮＯ）には、その間に流量カウントデータの送受信に２回失敗していることを示しているので、その場合には、Ｓ２５に進み、積算値Ｑｃに３が加算される。
【００４８】
Ｓ２３〜Ｓ２５において積算値Ｑｃが修正された後、Ｓ１６に進む。Ｓ１６では、積算値Ｑｃが設定湯量Ｑｓを超えたか否かが判断される。そして、積算値Ｑｃが設定湯量Ｑｓを超えていない場合（Ｓ１６：ＮＯ）はＳ１４、Ｓ２１〜Ｓ２５及びＳ１６の各ステップが繰り返され、積算値Ｑｃが設定湯量Ｑｓを超えた場合（Ｓ１６：ＹＥＳ）には、図１（ｂ）に示すＳ１７に進み、使用者への報知が行われる。
【００４９】
以上のように本実施の形態に係る給湯器によれば、従来、バーナコントローラ３２ですべて行っていた湯量報知のための処理を、バーナコントローラ３２と各リモコン４０ａ、４０ｂ…で分担して行うようにしたので、制御プログラムが単純になる。
【００５０】
また、供給される湯量が所定の流量に達する毎に複数の異なる計数信号（流量カウントデータ）を周期的に発生させる計数信号発生手段を用いているので、送信された計数信号の周期と受信された計数信号の周期のずれから、途中で計数信号の送受信に失敗したか否かを容易に知ることができる。そのため、次の計数信号を受信した時に、計数信号の受信回数の積算値を容易に修正することができ、供給水量の報知を確実に行うことができる。
【００５１】
なお、上述した制御フローチャートにおいて、計数信号発生手段はＳ１〜Ｓ３の各ステップに、送信手段はＳ４にそれぞれ対応する。また、受信手段はＳ１４に、積算手段はＳ１５又はＳ２１〜Ｓ２５の各ステップに、報知手段はＳ１６〜Ｓ１７にそれぞれ対応する。
【００５２】
以上、本発明の実施の形態について詳細に説明したが、本発明は、上記実施の形態に何ら限定されるものではなく、本発明の趣旨を逸脱しない範囲内で種々の改変が可能である。
【００５３】
例えば、上記実施の形態では、流量が１リットルに達する毎に同一又は異なる計数信号を発生させているが、計数信号を発生させるタイミングは、１リットル毎に限定されるものではなく、例えば、２リットル毎、あるいはそれ以上の流量毎に計数信号を発生させるようにしても良い。
【００５４】
また、上記第２の実施の形態では、４種類の計数信号が用いられているが、計数信号として、２種類、３種類、あるいは５種類以上の計数信号を用いてもよい。何種類の計数信号を用いるかは、計数信号の送受信の精度に応じて決定すれば良い。なお、この場合、送信された計数信号の周期と受信された計数信号の周期のずれを用いて、計数信号の積算値を補正すればよい点は、第２の実施の形態と同様である。
【００５５】
また、供給湯量が設定湯量に達し、各リモコン４０ａ、４０ｂ…毎に段階的に報知が行われた後、湯の供給が自動的に停止されるような構成としてもよく、あるいは、使用者が、手動で水栓を閉じるような構成としても良い。
【００５６】
また、上記実施の形態では、各リモコン４０ａ、４０ｂ…毎に、湯量報知機能を起動させるための起動スイッチ（お知らせ機能スタートスイッチ）を設け、各リモコン４０ａ、４０ｂ…の起動スイッチを押すことによって、個別に湯量報知機能を起動させるようになっているが、１又は２以上の他のリモコンを連動させ、いずれか一つの起動スイッチを押すことによって、同時に複数のリモコンにおいて湯量報知機能を起動させるようにしても良い。
【００５７】
さらに、本実施の形態では、各リモコンに設定値入力装置が設けられ、使用者が任意に報知のための設定値（設定湯量）を入力できるようになっているが、浴槽の大きさ、各リモコン４０ａ、４０ｂ…の設置場所等を考慮して、報知のための１又は２以上の設定値を各リモコンのＲＯＭに予め固定値として記憶させ、これを用いて湯量報知を行っても良く、これにより上記実施の形態と同様の効果を得ることができる。
【００５８】
【発明の効果】
本発明は、所定温度に加熱された湯を出湯する給湯器本体と、該給湯器本体を遠隔制御するための複数のリモコンとを備えた給湯器において、前記給湯器本体は、該給湯器本体から出湯される湯の流量が所定流量に達する毎に計数信号を発生させる計数信号発生手段と、前記計数信号を前記各リモコンに送信する送信手段とを備え、前記各リモコンは、前記送信手段から送信される前記計数信号を受信する受信手段と、該受信手段により受信された前記計数信号の回数を積算する積算手段と、各リモコン毎に異なる設定湯量が任意に設定可能な設定値入力手段と、前記積算手段により積算された前記計数信号の回数の積算値が前記設定湯量に達した時にその旨を報知する報知手段とをそれぞれ備えているので、各リモコン毎に異なる湯量を設定し、供給湯量に応じて異なるリモコンから段階的に報知させる機能を簡単な制御プログラムにより実行させることができるという効果がある。
【００５９】
また、前記計数信号発生手段が、複数の異なる計数信号を周期的に発生させるものであり、前記積算手段が、前記受信手段により受信された前記計数信号の周期が、前記計数信号発生手段により発生させた前記計数信号の周期と異なる場合に、前記計数信号の回数の積算値を補正するものである場合には、途中で計数信号の送受信に失敗した場合であっても、計数信号の回数の積算値を容易に修正することができ、供給水量の報知を確実に行うことができるという効果がある。
【００６０】
以上のように、本発明に係る給湯器によれば、複数のリモコンからの段階的な報知によって、供給湯量を確実に把握することができるので、使用者は、常時、供給湯量を監視する必要がなくなり、これによって給湯器の利便性が格段に向上するものであり、産業上その効果の極めて大きい発明である。
【図面の簡単な説明】
【図１】本発明の第１の実施の形態に係る給湯器の制御フローチャートである。
【図２】本発明の第２の実施の形態に係る給湯器の制御フローチャートの一部である。
【図３】本発明に係る給湯器の概略構成図である。
【符号の説明】
１              給湯器
１０            給湯器本体
４０ａ、４０ｂ  リモコン
【図１】
0004071897.tif 000002
【図２】
0004071897.tif 000003
【図３】
0004071897.tif 000004